(57)【要約】【課題】  耳からの脱落を防止するために，耳の外周部に掛ける耳掛部材を備えるヘッドホンにおいて，様々に異なるユーザの耳にフィットすることが可能なヘッドホンを提供する。【解決手段】  スピーカと，スピーカを支持する支持部材と，支持部材にスライド可能に設けられた耳掛部材と，を備えるヘッドホン。このヘッドホンによれば，耳掛部材が支持部材に対してスライド可能であるから，ユーザは，耳掛部材をスライドさせてヘッドホンが耳にフィットするように調整することができるため，ヘッドホンが位置ずれしたり，耳に不要な圧力を与えてユーザに不快な思いをさせたりすることがない。【選択図】  図１
2012015690.tif 000002
【特許請求の範囲】
【請求項１】
スピーカと，
スピーカを支持する支持部材と，
支持部材にスライド可能に設けられた耳掛部材と，
を備えることを特徴とするヘッドホン。
【請求項２】
耳掛部材は，水平方向にスライド可能であることを特徴とする請求項１に記載のヘッドホン。
【請求項３】
スピーカは，左耳用スピーカと右耳用スピーカとを有し，
支持部材は，左耳用スピーカと右耳用スピーカとを接続するネックバンドであることを特徴とする請求項１又は２に記載のヘッドホン。
【請求項４】
耳掛部材は，弾性材料からなることを特徴とする請求項１乃至３のいずれか１に記載のヘッドホン。
【請求項５】
耳掛部材は，耳の付け根と接触した際に押し潰される空洞部を有することを特徴とする請求項４に記載のヘッドホン。
【発明の詳細な説明】
【技術分野】
【０００１】
本発明は，耳からの脱落を防止するために，耳の外周部に掛ける耳掛部材を備えるヘッドホンに関する。
【背景技術】
【０００２】
携帯音楽プレーヤー等に使用されるヘッドホンとして，耳からの脱落を防止するために，耳の外周部に掛ける耳掛部材を備えるヘッドホンが知られている（例えば，特許文献１参照。）。このようなヘッドホンは，耳掛部材により，ヘッドホンがユーザの耳に固定されるため，耳から脱落しにくくなり，ランニング等をしながら，携帯音楽プレーヤー等が発する音楽を聴取することに適している。
【先行技術文献】
【特許文献】
【０００３】
【特許文献１】特開２００３−０７８９８４号公報
【発明の概要】
【発明が解決しようとする課題】
【０００４】
しかしながら，従来の耳掛部材を備えるヘッドホンは，ユーザの耳の大きさや形状は様々であるにもかかわらず，各ユーザの耳の大きさや形状に対応することができないため，ランニング時等にヘッドホンが位置ずれしたり，耳に不要な圧力を与えてユーザに不快な思いをさせたりするという問題点があった。
【０００５】
そこで本発明は，上記課題に鑑み，様々に異なるユーザの耳にフィットすることが可能なヘッドホンの提供を目的とする。
【課題を解決するための手段】
【０００６】
本発明のヘッドホンは，スピーカと，スピーカを支持する支持部材と，支持部材にスライド可能に設けられた耳掛部材と，を備えることを特徴としている。
【０００７】
上記構成のヘッドホンは，耳掛部材が支持部材に対してスライド可能であるから，ユーザは，耳掛部材をスライドさせてヘッドホンが耳にフィットするように調整することができるため，ヘッドホンが位置ずれしたり，耳に不要な圧力を与えてユーザに不快な思いをさせたりすることがない。すなわち，上記構成のヘッドホンは，様々に異なるユーザの耳にヘッドホンをフィットさせることが可能である。また，耳掛部材をスライドさせる構成となっているから，ユーザは，容易にヘッドホンが耳にフィットするように調整することが可能である。
【０００８】
本発明のヘッドホンは，上記に記載のヘッドホンにおいて，耳掛部材が水平方向にスライド可能であることを特徴としている。
【０００９】
上記構成のヘッドホンは，耳掛部材が水平方向にスライド可能であるから，ヘッドホンの装着時に，容易にヘッドホンが耳にフィットするように調整することが可能である。
【００１０】
本発明のヘッドホンは，上記に記載のヘッドホンにおいて，スピーカが左耳用スピーカと右耳用スピーカとを有し，支持部材が左耳用スピーカと右耳用スピーカとを接続するネックバンドであることを特徴としている。
【００１１】
上記構成のヘッドホンは，支持部材が左耳用スピーカと右耳用スピーカとを接続するネックバンドであるから，ヘッドホンを装着した際に，ヘッドホンが位置ずれしにくいという利点がある。
【００１２】
本発明のヘッドホンは，上記に記載のヘッドホンにおいて，耳掛部材が弾性材料からなることを特徴としている。
【００１３】
上記構成のヘッドホンは，耳掛部材が弾性材料からなるので，耳掛部材がユーザの耳の付け根の形状によく馴染んで，耳にフィットしやすいという利点がある。
【００１４】
本発明のヘッドホンは，上記に記載のヘッドホンにおいて，耳掛部材が耳の付け根と接触した際に押し潰される空洞部を有することを特徴としている。
【００１５】
上記構成のヘッドホンは，耳掛部材が弾性材料からなり，かつ，耳の付け根と接触した際に押し潰される空洞部を有しているから，耳掛部材がユーザの耳の付け根に接触した際に，空洞部が押し潰されてユーザの耳の付け根の形状によく馴染んで，耳にフィットしやすいという利点がある。
【発明の効果】
【００１６】
本発明のヘッドホンによれば，耳掛部材が支持部材に対してスライド可能であるから，ユーザは，耳掛部材をスライドさせてヘッドホンが耳にフィットするように調整することができるため，ヘッドホンが位置ずれしたり，耳に不要な圧力を与えてユーザに不快な思いをさせたりすることがない。すなわち，本発明のヘッドホンは，様々に異なるユーザの耳にヘッドホンをフィットさせることが可能である。また，耳掛部材をスライドさせる構成となっているから，ユーザは，容易にヘッドホンが耳にフィットするように調整することが可能である。
【図面の簡単な説明】
【００１７】
【図１】本発明の実施形態を示すヘッドホンの全体構成を示す斜視図
【図２】同じくヘッドホンの全体構成を示す正面図
【図３】同じくヘッドホンの全体構成を示す平面図
【図４】同じくヘッドホンの全体構成を示す右側面図
【図５】本発明の他の実施形態を示すヘッドホンの全体構成を示す斜視図
【図６】同じくヘッドホンの全体構成を示す平面図
【図７】同じくヘッドホンの全体構成を示す右側面図
【発明を実施するための形態】
【００１８】
以下，本発明の実施形態に係るヘッドホンを，図面に基づいて説明する。図１は本発明の実施形態を示すヘッドホンの全体構成を示す斜視図，図２は同じくヘッドホンの全体構成を示す正面図，図３は同じくヘッドホンの全体構成を示す平面図，図４は同じくヘッドホンの全体構成を示す右側面図である。
【００１９】
ヘッドホン１は，ユーザの首に掛けて使用するいわゆるネックバンドタイプのヘッドホンであって，スピーカ２と，支持部材３と，耳掛部材４と，を備える。
【００２０】
スピーカ２は，左耳用スピーカ２１と右耳用スピーカ２２とを有する。左耳用スピーカ２１及び右耳用スピーカ２２は，それぞれ，内部に図示しないドライバユニットが設けられた略半球状のスピーカ本体５と，スピーカ本体５を支持し，支持部材３の延長方向に延びるとともに，延長方向から略垂直方向に折れ曲がっている略Ｌ字状の支持部６と，からなる。携帯音楽プレーヤー等から入力された音声は，ドライバユニットが振動することにより，スピーカ本体５の前面７から外部（ユーザの耳）へ出力される。
【００２１】
支持部材３は，スピーカ２を支持するものであり，左耳用スピーカ２１と右耳用スピーカ２２とを接続するネックバンドである。この支持部材３は，平面視略横U字状，かつ，耳の付け根の形状に合うよう，湾曲した側面視横Ｓ字状に形成されおり，内部は中空となっている。図示しないヘッドホンコードが中空の支持部材３の内部に挿通されており，支持部材３の側面視左右方向途中部に設けられたヘッドホンコード導出部８から外部へ導出される。ヘッドホン１は，支持部材３がユーザの首に掛けられて使用される。
【００２２】
耳掛部材４は，シリコンゴム・熱可塑性エラストマー等の弾性材料からなり，耳の付け根の形状に合うよう，湾曲した側面視略逆C字状となっている。この耳掛部材４には，支持部材３の断面形状と略同一で，支持部材３の径よりも若干大きい中空のスライド部９が設けられている。スライド部９を介して耳掛部材４が支持部材３に取り付けられることにより，すなわち，スライド部９に支持部材３が挿通されて耳掛部材４が支持部材３に取り付けられることにより，耳掛部材４は，支持部材３にスライド可能に設けられており，支持部材３に沿って水平方向（図４のＡＢ方向）にスライド可能となっている。支持部材３と耳掛部材４との間には，適度な摩擦が働いているため，ユーザは，耳掛部材４をスライドさせて所望の位置に固定させることができる。また，耳掛部材４には，側面視上下方向にわたって耳掛部材４の形状にそった空洞部１０が設けられている。耳掛部材４が耳の付け根に接触すると，この空洞部１０が押し潰されて，耳掛部材４が耳の付け根の形状によく馴染むようになっている。なお，ユーザに装着された状態でのヘッドホン１の姿勢は，図４の姿勢と略同一である。
【００２３】
上記のように構成されたヘッドホン１を取り付ける場合，左耳用スピーカ２１・右耳用スピーカ２２と耳掛部材４との間に耳の付け根を挿入させるため，予め耳掛部材４を左耳用スピーカ２１・右耳用スピーカ２２から離れる方向（図４のＡ方向）にスライドさせて，耳掛部材４を左耳用スピーカ２１・右耳用スピーカ２２からある程度離れた位置に位置させておく。次に，支持部材３を開いて首に掛け，左耳用スピーカ２１・右耳用スピーカ２２と耳掛部材４との間に耳の付け根を挿入する。そして，耳掛部材４を左耳用スピーカ２１・右耳用スピーカ２２（耳）に近づく方向（図４のＢ方向）にスライドさせる。逆にヘッドホン１を取り外す場合は，耳掛部材を左耳用スピーカ２１・右耳用スピーカ２２（耳）から離れる方向（図４のＡ方向）にスライドさせて，耳掛部材４を左耳用スピーカ２１・右耳用スピーカ２２（耳）からある程度離れた位置に位置させる。そして，支持部材３を開いて首からヘッドホン１を取り外す。
【００２４】
このように，ヘッドホン１は，耳掛部材４が支持部材３に対してスライド可能であるから，ユーザは，耳掛部材４をスライドさせてヘッドホン１が耳にフィットするように調整することができるため，ヘッドホンが位置ずれしたり，耳に不要な圧力を与えてユーザに不快な思いをさせたりすることがない。すなわち，ヘッドホン１は，様々に異なるユーザの耳にヘッドホン１をフィットさせることが可能である。また，耳掛部材４をスライドさせる構成となっているから，ユーザは，容易にヘッドホン１が耳にフィットするように調整することが可能である。
【００２５】
図５は本発明の他の実施形態を示すヘッドホンの全体構成を示す斜視図，図６は同じくヘッドホンの全体構成を示す平面図，図７は同じくヘッドホンの全体構成を示す右側面図である。他の実施形態のヘッドホン１０１は，いわゆる耳掛けタイプのヘッドホンであり，スピーカ２を支持する支持部材１０３の構成が先に説明した実施形態のヘッドホン１と異なる。具体的には，支持部材１０３は，耳の付け根の形状に合うように，湾曲した側面視略横C字状となっており，耳掛部材４の脱落を防止するためのストッパ１１が設けられている。ヘッドホン１０１は，左右それぞれの耳に取り付けられることになる。なお，図５乃至図７では，ユーザの一方の耳（左耳）に装着するヘッドホンのみを示しているが，他方の耳（右耳）に装着するヘッドホンについても，同様の構成であり，形状としては，対称な形状となっている。
【符号の説明】
【００２６】
１，１０１…ヘッドホン，２…スピーカ，３，１０３…支持部材，４…耳掛部材，５…スピーカ本体，６…支持部，７…前面，８…ヘッドホンコード導出部，９…スライド部，１０…空洞部，１１…ストッパ，２１…左耳用スピーカ，２２…右耳用スピーカ
【図１】
2012015690.tif 000003
【図２】
2012015690.tif 000004
【図３】
2012015690.tif 000005
【図４】
2012015690.tif 000006
【図５】
2012015690.tif 000007
【図６】
2012015690.tif 000008
【図７】
2012015690.tif 000009